(57)【要約】【課題】携帯機を所持するユーザを検出し、車両周辺の障害物又は車両の異常に係る情報を乗車前に車外に表示することができる車両用情報表示装置を提供する。【解決手段】車両用情報表示装置は、車両周辺の障害物又は車両の異常に係る情報を取得する車両情報取得部と、車外の所定範囲内にある携帯機４を検出する検出部と、検出部にて所定範囲内の携帯機４が検出された場合、車両情報取得部にて取得した情報を、車外に表示する表示部とを備える。【選択図】図８
2018043728.tif 000002
【特許請求の範囲】
【請求項１】
車両周辺の障害物又は車両の異常に係る情報を取得する車両情報取得部と、
車外の所定範囲内にある携帯機を検出する検出部と、
該検出部にて前記所定範囲内の前記携帯機が検出された場合、前記車両情報取得部にて取得した情報を、車外に表示する表示部と
を備える車両用情報表示装置。
【請求項２】
前記表示部は、
前記所定範囲内の前記携帯機が検出され、かつ前記車両のドアが解錠された場合、前記車両情報取得部にて取得した情報を表示する
請求項１に記載の車両用情報表示装置。
【請求項３】
前記表示部は、
前記車両のドアが開閉した場合、情報の表示を停止する
請求項１又は請求項２に記載の車両用情報表示装置。
【請求項４】
前記表示部は、
前記車両に設けられたサイドミラーの鏡面に情報を表示する
請求項１〜請求項３までのいずれか一項に記載の車両用情報表示装置。
【請求項５】
前記表示部が情報を表示する場合、前記サイドミラーを回動させることにより格納及び展開させる駆動部へ、前記サイドミラーを展開させるための展開信号を出力する出力部を備える
請求項４に記載の車両用情報表示装置。
【請求項６】
前記サイドミラーはハーフミラーを備え、
前記表示部は、自発光型であり、前記ハーフミラーの背面に配されている
請求項４又は請求項５に記載の車両用情報表示装置。
【請求項７】
請求項１〜請求項６までのいずれか一項に記載の車両用情報表示装置と、
車両周辺の障害物を検出する障害物検出装置と
を備え、
前記車両用情報表示装置は、
前記障害物検出装置から障害物に係る情報を取得する
車両用情報表示システム。
【請求項８】
前記障害物検出装置は、
車両周辺を撮像する複数の撮像部を備え、該撮像部にて撮像して得た画像に基づいて、障害物を検出する
請求項７に記載の車両用情報表示システム。
【請求項９】
前記車両に対する前記携帯機の位置を検出するために該携帯機との間で無線通信を行い、無線通信の結果を出力する無線通信部を備え、
前記検出部は、
前記無線通信の結果に基づいて、前記携帯機が前記所定範囲内にあるか否かを判定する
請求項７又は請求項８に記載の車両用情報表示システム。
【発明の詳細な説明】
【技術分野】
【０００１】
本発明は、車両用情報表示装置及び車両用情報表示システムに関する。
【背景技術】
【０００２】
低速運転時に超音波にて車両周辺の障害物を検出するソナー、車両周辺の死角を撮像する撮像部等を備えた障害物検出システムが実用化されている。また、車両走行中に、車両周辺の死角にある車両、歩行者等を検出し、サイドミラーに警告表示を行う車両用情報表示装置がある（例えば、特許文献１）。
【先行技術文献】
【特許文献】
【０００３】
【特許文献１】特開２０１３−３２０８２号公報
【発明の概要】
【発明が解決しようとする課題】
【０００４】
しかしながら、従来の障害物検出システムによれば、乗車後、エンジンを始動して発進する段階で車両周辺の障害物に気付くことができるものの、運転者が降車して障害物を移動させる等の対処が必要であり、煩わしさを覚えるという問題があった。
また、車両用情報表示装置は、車両走行中に警告を行うシステムであり、乗車時における警告表示を行うことができない。
【０００５】
本発明の目的は、携帯機を所持する車外のユーザを検出し、車両周辺の障害物又は車両の異常に係る情報を乗車前に車外に表示することができる車両用情報表示装置及び車両用情報表示システムを提供することにある。
【課題を解決するための手段】
【０００６】
本態様に係る車両用情報表示装置は、車両周辺の障害物又は車両の異常に係る情報を取得する車両情報取得部と、車外の所定範囲内にある携帯機を検出する検出部と、該検出部にて前記所定範囲内の前記携帯機が検出された場合、前記車両情報取得部にて取得した情報を、車外に表示する表示部とを備える。
【０００７】
本態様に係る車両用情報表示システムは、前記車両用情報表示装置と、車両周辺の障害物を検出する障害物検出装置とを備え、前記車両用情報表示装置は、前記障害物検出装置から障害物に係る情報を取得する。
【０００８】
なお、本願は、このような特徴的な処理部を備える車両用情報表示装置として実現することができるだけでなく、かかる特徴的な処理をステップとする車両用情報表示方法として実現したり、かかるステップをコンピュータに実行させるためのプログラムとして実現したりすることができる。また、車両用情報表示装置の一部又は全部を実現する半導体集積回路として実現したり、車両用情報表示装置を含むその他のシステムとして実現したりすることができる。
【発明の効果】
【０００９】
上記によれば、携帯機を所持する車外のユーザを検出し、車両周辺の障害物又は車両の異常に係る情報を乗車前に車外に表示することができる車両用情報表示装置及び車両用情報表示システムを提供することが可能となる。
【図面の簡単な説明】
【００１０】
【図１】本発明の実施形態１に係る車両用情報表示システムの一構成例を示す模式図である。
【図２】展開状態にあるサイドミラーを示す平断面図である。
【図３】格納状態にあるサイドミラーを示す平断面図である。
【図４】サイドミラーの側断面図である。
【図５】本発明の実施形態１に係る車両用情報表示システムの一構成例を示すブロック図である。
【図６】情報表示に係る制御部の処理手順を示すフローチャートである。
【図７】障害物がある車両にユーザが乗車する状況を示す模式図である。
【図８】乗車前に障害物に係る情報がサイドミラーの鏡面に表示された状況を示す模式図である。
【図９】情報の表示例を示す模式図である。
【図１０】本発明の実施形態２に係る車両用情報表示システムの一構成例を示すブロック図である。
【図１１】本発明の実施形態２に係る車両用情報表示装置の一構成例を示すブロック図である。
【発明を実施するための形態】
【００１１】
［本発明の実施形態の説明］
最初に本発明の実施態様を列記して説明する。また、以下に記載する実施形態の少なくとも一部を任意に組み合わせてもよい。
【００１２】
（１）本態様に係る車両用情報表示装置は、車両周辺の障害物又は車両の異常に係る情報を取得する車両情報取得部と、車外の所定範囲内にある携帯機を検出する検出部と、該検出部にて前記所定範囲内の前記携帯機が検出された場合、前記車両情報取得部にて取得した情報を、車外に表示する表示部とを備える。
【００１３】
本態様にあっては、車外の所定範囲内にある携帯機が検出された場合、車両周辺の障害物又は車両の異常に係る情報が、表示部によって車外に表示される。従って、携帯機を所持するユーザが車両に近づくと、車両周辺の障害物等の情報が車外に表示され、乗車前に障害物又は車両の異常を認知することができる。このため、ユーザは、乗車前に障害物を移動させ、車両の異常に対処する等、必要な処置を採ることができる。
【００１４】
（２）前記表示部は、前記所定範囲内の前記携帯機が検出され、かつ前記車両のドアが解錠された場合、前記車両情報取得部にて取得した情報を表示する構成が好ましい。
【００１５】
本態様にあっては、車外の所定範囲内にある携帯機が検出され、車両のドアが解錠された場合、車両周辺の障害物又は車両の異常に係る情報が、表示部によって車外に表示される。従って、ユーザに乗車する意思が無いときに、不必要な情報が車外に表示されることを回避することができる。
【００１６】
（３）前記表示部は、前記車両のドアが開閉した場合、情報の表示を停止する構成が好ましい。
【００１７】
本態様にあっては、車両ドアが開閉した場合、つまり車両ドアが一旦開き、その後閉じた場合、車外への情報の表示は停止される。言い換えると、ユーザの乗車が完了したと推定される時点で、車外への情報の表示は停止される。
【００１８】
（４）前記表示部は、前記車両に設けられたサイドミラーの鏡面に情報を表示する構成が好ましい。
【００１９】
本態様にあっては、車外の所定範囲内にある携帯機が検出された場合、車両周辺の障害物又は車両の異常に係る情報が、表示部によってサイドミラーの鏡面に表示される。
【００２０】
（５）前記表示部が情報を表示する場合、前記サイドミラーを回動させることにより格納及び展開させる駆動部へ、前記サイドミラーを展開させるための展開信号を出力する出力部を備える構成が好ましい。
【００２１】
本態様にあっては、サイドミラーが格納されている場合であっても、サイドミラーを展開させて、車両周辺の障害物又は車両の異常に係る情報を表示することができる。
【００２２】
（６）前記サイドミラーはハーフミラーを備え、前記表示部は、自発光型であり、前記ハーフミラーの背面に配されている構成が好ましい。
【００２３】
本態様にあっては、表示部に情報が表示されていない場合、ハーフミラーは通常の鏡として機能する。表示部に情報が表示されると、自発光型の表示部から出射された光がハーフミラーを透過し、当該情報が重畳的に表示される。
【００２４】
（７）本態様に係る車両用情報表示システムは、態様（１）〜態様（６）までのいずれか一つの車両用情報表示装置と、車両周辺の障害物を検出する障害物検出装置とを備え、前記車両用情報表示装置は、前記障害物検出装置から障害物に係る情報を取得する。
【００２５】
本態様にあっては、態様（１）の通り、障害物検出装置にて検出された車両周辺の障害物に係る情報を車外に表示させることができる。
【００２６】
（８）前記障害物検出装置は、車両周辺を撮像する複数の撮像部を備え、該撮像部にて撮像して得た画像に基づいて、障害物を検出する構成が好ましい。
【００２７】
本態様にあっては、車両周辺を撮像部で撮像して得た画像に基づく障害物の情報を、車外に表示させることができる。
【００２８】
（９）前記車両に対する前記携帯機の位置を検出するために該携帯機との間で無線通信を行い、無線通信の結果を出力する無線通信部を備え、前記検出部は、前記無線通信の結果に基づいて、前記携帯機が前記所定範囲内にあるか否かを判定する構成が好ましい。
【００２９】
本態様にあっては、車両用情報表示装置は、外部の位置検出装置及び障害物検出装置から、携帯機の位置に係る情報及び障害物に係る情報を取得する構成である。従って、車両用情報表示装置を小型化することができる。例えば、サイドミラーの鏡面に情報を表示する構成の場合、表示部を備えたモジュールとして車両用情報表示装置をサイドミラーの筐体内に格納することができる。
【００３０】
［本発明の実施形態の詳細］
本発明の実施形態に係る車両用情報表示システムの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００３１】
（実施形態１）
図１は、本発明の実施形態１に係る車両用情報表示システムの一構成例を示す模式図である。本実施形態１に係る車両用情報表示システムは、車両Ｃの左右両側ドア付近に設けられたサイドミラー５の鏡面に情報を表示する車両用情報表示装置１と、車両周辺の障害物Ｂを検出する車両周辺監視装置２と、車両Ｃの異常を検出ないし監視する車両異常監視装置３と、ユーザＡが所持する携帯機４とを備える。車両周辺監視装置２及び車両異常監視装置３は、ＣＡＮ、ＦｌｅｘＲａｙ、ＬＩＮ等の通信プロトコルに準拠した車内通信線を介して車両用情報表示装置１に接続されている。
【００３２】
車両用情報表示装置１は、サイドミラー５の鏡面に情報を表示するサイドミラー表示部１２と、当該サイドミラー表示部１２の動作を制御する表示制御装置１１とを備える。表示制御装置１１は、ユーザＡが所持する携帯機４との間で無線通信を行い、携帯機４の位置を検出する機能を有する。表示制御装置１１は、車両周辺の所定範囲Ｒ（図７参照）内にある携帯機４が検出された場合、障害物Ｂ又は車両Ｃの異常を検出したとき、障害物Ｂ又は車両異常に係る情報をサイドミラー表示部１２に表示させる。
【００３３】
車両周辺監視装置２は、周辺監視ＥＣＵを備える。周辺監視ＥＣＵには、複数の撮像部２１、図示しないレーダ及び測距センサ等が接続されている。
【００３４】
撮像部２１は、車両周辺を撮像し、撮像して得た画像データを周辺監視ＥＣＵへ出力する。撮像部２１の撮像範囲は特に限定されるものでは無いが、例えば、複数の撮像部２１には、車内の天井部分に設けられており、車両前方を撮像する撮像部２１、車両Ｃの前部に設けられており、車両右前方を撮像する撮像部２１及び車両左前方を撮像する撮像部２１、車両Ｃの後部に設けられており、車両後方を撮像する撮像部２１、サイドミラー５に設けられており、車両右側面乃至右斜め後方を撮像する撮像部２１、車両左側面乃至左斜め後方を撮像する撮像部２１等が含まれる。撮像部２１は、単眼カメラ、ステレオカメラのいずれも利用することができる。また、撮像部２１は、可視光にて障害物Ｂを撮像するものであっても良いし、赤外線にて障害物Ｂを撮像するものであっても良い。
なお、これらの撮像部２１の取付位置及び撮像範囲は、一例であり、車両周辺の障害物Ｂを撮像することが可能な構成であれば特に限定されるものでは無い。障害物Ｂは、車両Ｃの移動経路上にあり、車両Ｃが前進若しくは後退した際、又は方向転換した際、車両Ｃに接触するおそれがある物体である。障害物Ｂは、静止物体に限定されるものでは無く、歩行者等の移動物体も含まれる。
【００３５】
レーダは、例えば、ミリ波レーダ、レーザレーダ、超音波レーダ等であり、車両周辺に存在する障害物Ｂに係る検出結果を周辺監視ＥＣＵへ出力する。
測距センサは、例えば、超音波又は赤外線等によって、車両周辺に存在する障害物Ｂを検出するセンサであり、検出結果を周辺監視ＥＣＵへ出力する。測距センサは、車両Ｃの前部若しくは後部の車幅方向両側、又は車両Ｃの前部若しくは後部の車幅方向略中央部に設けられている。なお、クリアランスソナーを、車両周辺の障害物Ｂを検出する測距センサとして利用すると良い。
【００３６】
周辺監視ＥＣＵは、撮像部２１にて取得した車両周辺の画像データ、レーダ及び測距センサから取得した検出結果を解析することによって、車両周辺に存在する障害物Ｂを識別ないし検出する。障害物Ｂの識別は、例えばディープラーニングによって行えば良い。ディープラーニングは、機械学習の一種であり、画像及び各センサの検出結果を所定のクラスに分類するものである。周辺監視ＥＣＵは、車両周辺に存在する障害物Ｂ以外のオブジェクト画像、例えば車両周辺に存在する建物、他車両、道路、縁石、車輪止め、標識等の物体のオブジェクト画像等を大量に学習し、障害物Ｂ等の特徴と、各特徴に対応するクラスとを学習結果として記憶している。周辺監視ＥＣＵは、取得した画像データ及び各センサの検出結果と、学習結果とに基づいて、検出対象が属するクラスを特定する。クラスの特定によって、検出対象が障害物Ｂであるか否かが特定される。周辺監視ＥＣＵは、車両周辺に存在する障害物Ｂの有無、障害物Ｂの種類、障害物Ｂの位置、障害物Ｂの画像等を示す検出結果を、通信線を介して表示制御装置１１へ送信する。
【００３７】
車両異常監視装置３は、例えば、タイヤ空気圧監視装置であり、タイヤ空気圧の低下、パンク等の異常を検出する。タイヤ空気圧監視装置は、車体の適宜箇所に設けられた監視装置と、車両Ｃに設けられた複数のタイヤのホイール夫々に設けられており、タイヤの空気圧を検出する検出装置とを備える。監視装置は、各検出装置と無線通信を行うことにより、各タイヤの空気圧を取得し、空気圧の異常を監視する。タイヤ空気圧監視装置は、タイヤ空気圧に異常があると判定した場合、タイヤ空気圧の異常に係る情報を表示制御装置１１へ送信する。
なお、タイヤ空気圧監視装置は、車両異常監視装置３の一例であり、灯火器、ヘッドライト等の各種電球切れ、その他の電装品の異常等、車両Ｃ自体の異常を検出する装置であれば、検出対象及び検出装置の構成は特に限定されるものでは無い。
【００３８】
図２は、展開状態にあるサイドミラー５を示す平断面図、図３は、格納状態にあるサイドミラー５を示す平断面図、図４はサイドミラー５の側断面図である。サイドミラー５は、例えば、車両Ｃに対して回動可能に支持された可動式のドアミラーである。サイドミラー５は、左右両側ドア付近の車体にそれぞれ設けられた支持部５ａと、当該支持部５ａに対して回動可能に支持された流線型の筐体５０とを有する。筐体５０の内部には、ハーフミラー５１、サイドミラー表示部１２、サイドミラー駆動部５２等が収容されている。
【００３９】
サイドミラー駆動部５２は、サイドミラー５の筐体５０を回動させることによって、格納及び展開させるミラー格納駆動部５２ａと、ハーフミラー５１の鏡面の左右方向及び俯仰方向の角度を調整するためのミラー角度調整部５２ｂとを備える。なお、図２に示すように、ハーフミラー５１の鏡面が後方を向いた状態が展開状態、図３に示すようにハーフミラー５１の鏡面が車両Ｃの側部を向いた状態が格納状態である。
ハーフミラー５１は筐体５０の開口部から鏡面を外側に向けた状態でミラー角度調整部５２ｂにて支持されている。ミラー角度調整部５２ｂは、ハーフミラー５１の鏡面を左右方向へ回動させる左右回動機構と、鏡面を俯仰方向へ回動させる俯仰回転機構と、各機構を駆動させるモータとを有する。
ミラー格納駆動部５２ａは、筐体５０を回動させるモータを有する。
サイドミラー表示部１２は、表示面がハーフミラー５１を介して外側を向くように、ハーフミラー５１の背面側に配されている。サイドミラー表示部１２は、例えば、液晶パネル、有機パネル等、自発光型の表示パネルである。従って、サイドミラー表示部１２が表示を行っていない場合、ハーフミラー５１は通常の鏡として機能する。サイドミラー表示部１２に情報が画像として表示された場合、表示部から出射される光がハーフミラー５１を透過し、反射光と合成される。従って、サイドミラー５の鏡面には、反射像にサイドミラー表示部１２の映像が重畳されて表示される。サイドミラー駆動部５２の動作及びサイドミラー表示部１２による表示は、表示制御装置１１によって制御されている。
【００４０】
図５は、本発明の実施形態１に係る車両用情報表示システムの一構成例を示すブロック図である。表示制御装置１１は、該表示制御装置１１の各構成部の動作を制御する制御部１１ａを備える。制御部１１ａは、例えば一又は複数のＣＰＵ（Central Processing Unit）、マルチコアＣＰＵ、ＲＯＭ（Read Only Memory）、ＲＡＭ（Random Access Memory）等を有するマイコンである。制御部１１ａには、記憶部１１ｂ、送信部１１ｃ、受信部１１ｄ、入力部１１ｅ、出力部１１ｆ及び通信部１１ｇが設けられている。
【００４１】
制御部１１ａは、記憶部１１ｂに記憶されている後述の制御プログラムを実行することにより、各構成部の動作を制御し、ユーザＡの乗車前に車両周辺の障害物Ｂ及び車両Ｃの異常に係る情報をサイドミラー５の鏡面に表示する処理を実行する。具体的には、制御部１１ａは、携帯機４との間で無線通信を行い、携帯機４の位置を検出する。携帯機４が車外の所定範囲Ｒ内にあり、車両Ｃのドアが解錠された場合、制御部１１ａは、車両周辺監視装置２及び車両異常監視装置３を動作させ、各装置から障害物Ｂ及び車両Ｃの異常に係る情報を取得し、取得した情報をサイドミラー表示部１２に表示させる。情報がサイドミラー表示部１２に表示されている状況で、閉じたドアが開き、再び当該ドアが閉じた場合、制御部１１ａは、サイドミラー表示部１２への表示を停止させる。
【００４２】
記憶部１１ｂは、ＥＥＰＲＯＭ（Electrically Erasable Programmable ROM）、フラッシュメモリ等の不揮発性メモリである。記憶部１１ｂは、制御部１１ａが表示制御装置１１の各構成部の動作を制御することにより、上記のように障害物Ｂ及び車両Ｃの異常に係る情報をサイドミラー表示部１２に表示させる処理を実行するための制御プログラムを記憶している。
【００４３】
送信部１１ｃは複数のＬＦ送信アンテナ６に接続されており、制御部１１ａの制御に従って、携帯機４の位置を特定するための各種信号を送信する。複数のＬＦ送信アンテナ６は、例えば、運転席側ピラー、助手席側ピラー、車内の前部及び後部に設けられている。送信部１１ｃは、制御部１１ａの制御に従って、携帯機４の位置を検出するための位置検出用信号を、各ＬＦ送信アンテナ６から送信する。位置検出用信号は、携帯機４における当該位置検出用信号の受信の成否に基づいて、当該携帯機４の位置を特定するための信号である。位置検出用信号は例えば変調された搬送波である。
運転席側ピラーに設けられたＬＦ送信アンテナ６から送信される位置検出用信号の強度は、運転席側のドア近傍、例えば２〜３ｍの範囲で携帯機４が位置検出用信号を受信できるような強度である。同様に、助手席側ピラーに設けられたＬＦ送信アンテナ６から送信される位置検出用信号の強度は、助手席側のドア近傍、例えば２〜３ｍの範囲で携帯機４が位置検出用信号を受信できるような強度である。更に、車内のＬＦ送信アンテナ６から送信される位置検出用信号の強度は、車内で携帯機４が位置検出用信号を受信できるような強度である。
【００４４】
携帯機４は、各構成部の動作を制御する携帯制御部を備える。携帯制御部には、例えば、携帯側受信部、携帯側送信部、携帯側記憶部及び操作部が設けられている。
携帯側受信部はＬＦ受信アンテナに接続されており、表示制御装置１１からＬＦ帯の電波を用いて送信された各種信号を受信し、受信して得た情報を携帯制御部へ出力する。
携帯側送信部はＲＦ送信アンテナに接続されており、携帯制御部の制御に従って、ＵＨＦ帯の電波を用いて各種信号を送信する。例えば、携帯側送信部は、表示制御装置１１から送信された位置検出用信号の受信及び認証に成功した場合、応答信号を送信する。
操作部は、車両ドアを施解錠するための操作ボタン等を含み、携帯制御部は、操作部の操作状態を監視している。携帯制御部は、操作部が操作された場合、車両ドアの解錠又は施錠を制御するための制御信号等、操作内容に応じた信号を、携帯側送信部に送信させる。
【００４５】
受信部１１ｄはＲＦ受信アンテナ１１ｈに接続されており、携帯機４からＵＨＦ帯の電波を用いて送信された各種信号を受信し、受信して得た情報を制御部１１ａへ出力する。例えば、携帯機４は、位置検出用信号の受信及び認証に成功した場合、応答信号をＲＦ帯の電波にて送信するように構成されており、受信部１１ｄは、携帯機４から送信される応答信号を受信する。制御部１１ａは、各ＬＦ送信アンテナ６から位置検出用信号を送信した際に携帯機４から送信される応答信号の有無によって、携帯機４が車両周辺の所定範囲Ｒ内にある否かを判定することができる。
【００４６】
入力部１１ｅには、イグニッションスイッチ７１、ドアを車外から施解錠するためのドアスイッチ７２、ドアの開閉状態に応じてオンオフする開閉検出スイッチ７３、ドアの施解錠状態を検出する施錠検出スイッチ７４、サイドミラー５の展開状態又は格納状態を検出するためのミラー状態検出部７５等が接続されている。
入力部１１ｅにはイグニッションスイッチ７１の操作状態に応じたイグニッションスイッチ信号が入力しており、制御部１１ａは、入力部１１ｅに入力したイグニッションスイッチ信号に基づいて、イグニッションスイッチ７１の操作状態を認識することができる。
また、ドアスイッチ７２の操作状態に応じたドア操作信号が入力しており、制御部１１ａは入力部１１ｅに入力されたドア操作信号に基づいて、ドアの施解錠操作を認識することができる。ドアスイッチ７２は、例えば、ボタン式のリクエストスイッチである。
更に、ドアの開閉状態に応じたドア開閉信号が入力しており、制御部１１ａは入力部１１ｅに入力されたドア開閉信号に基づいて、ドアの開閉状態を認識することができる。開閉検出スイッチ７３は、例えばカーテシースイッチである。
更にまた、入力部１１ｅには、車両Ｃのドアの施解錠状態を示す施解錠状態信号が入力しており、制御部１１ａは入力部１１ｅに入力された施解錠状態信号に基づいて、ドアの施解錠状態を認識することができる。
更にまた、入力部１１ｅには、サイドミラー５が閉じた格納状態、又はサイドミラー５が展開した展開状態を示すミラー状態信号が入力しており、制御部１１ａは入力部１１ｅに入力されたミラー状態信号に基づいて、サイドミラー５が格納された状態にあるか否かを認識することができる。ミラー状態検出部７５は、例えば、サイドミラー５を展開又は格納するためのスイッチである。
【００４７】
出力部１１ｆには、サイドミラー表示部１２、サイドミラー駆動部５２、ミラーターンランプ５３、ドアの施解錠を行う施解錠装置８が接続されている。
制御部１１ａは、出力部１１ｆを介して、障害物Ｂ及び車両Ｃの異常を示す映像信号をサイドミラー表示部１２へ出力することによって、鏡面に障害物Ｂ及び車両Ｃの異常に係る情報を表示する。
また、制御部１１ａは、出力部１１ｆを介して、サイドミラー５の展開を指示する展開信号、格納を指示する格納信号をサイドミラー駆動部５２のミラー格納駆動部５２ａへ出力することによって、サイドミラー５を展開又は格納することができる。また、制御部１１ａは、出力部１１ｆを介して、角度調整信号を、ミラー角度調整部５２ｂへ出力することによって、鏡面の角度を調整することができる。更に、制御部１１ａは、出力部１１ｆを介して、点灯信号を、ミラーターンランプ５３へ出力することによって、ミラーターンランプ５３を点灯させることができる。
施解錠装置８は、車両Ｃのドアを施解錠させる公知の施解錠機構と、施解錠機構を駆動させるアクチュエータとを備え、出力部１１ｆにはアクチュエータが接続されている。制御部１１ａは、ドアスイッチ７２が操作されたことを検出し、車外の所定範囲Ｒ内にある正規の携帯機４を検出した場合、出力部１１ｆから施錠信号又は解錠信号を出力することによって、アクチュエータを動作させ、ドアを施錠又は解錠させる。
【００４８】
通信部１１ｇは、ＣＡＮ、ＦｌｅｘＲａｙ、ＬＩＮ等の所定の通信プロトコルに従って通信を行う通信機であり、車内通信線を介して、車両周辺監視装置２及び車両異常監視装置３に接続されている。制御部１１ａは、通信部１１ｇにて車両周辺監視装置２及び車両異常監視装置３を起動させ、各装置から送信される車両周辺の障害物Ｂに係る情報及び車両Ｃの異常に係る情報を受信する。
【００４９】
図６は、情報表示に係る制御部１１ａの処理手順を示すフローチャート、図７は、障害物Ｂがある車両ＣにユーザＡが乗車する状況を示す模式図、図８は、乗車前に障害物Ｂに係る情報がサイドミラー５の鏡面に表示された状況を示す模式図、図９は、情報の表示例を示す模式図である。
なお、図７中、車両Ｃの左右にある縦長矩形は、道路に描かれた白線、車両Ｃの後方にある横長矩形は、車輪止めであり、障害物Ｂでは無い。車両周辺監視装置２は、上記学習結果を用いて、白線、車輪止め等を、障害物Ｂと区別して認識することができ、障害物Ｂのみを選択的に検出することができる。
【００５０】
イグニッションスイッチ７１がオフ状態でドアが施錠されている場合、表示制御装置１１の制御部１１ａは、以下の処理を実行する。制御部１１ａは、車外の所定範囲Ｒ内にある携帯機４を検出したか否かを判定する（ステップＳ１１）。具体的には、制御部１１ａは、送信部１１ｃに、位置検出用信号を各ＬＦ送信アンテナ６から順次送信させ、位置検出用信号を受信した携帯機４から送信される応答信号を受信部１１ｄにて受信することによって、携帯機４が上記所定範囲Ｒ内にあるか否かを判定する。位置検出用信号の到達範囲、つまり携帯機４が位置検出用信号を受信し、復調できる範囲は、各ＬＦ送信アンテナ６の周囲、２〜３ｍである。携帯機４は、上記所定範囲Ｒ内にある場合、位置検出用信号を受信することができ、応答信号を送信する。制御部１１ａは、送信した位置検出用信号に対する応答信号の有無に基づいて、携帯機４が所定範囲Ｒ内にあるか否かを判定する。図７に示すように、携帯機４を所持したユーザＡが運転席側のドア付近にいる場合、所定範囲Ｒ内にある携帯機４が検出される。
【００５１】
上記所定範囲Ｒ内の携帯機４が検出されなかった場合（ステップＳ１１：ＮＯ）、制御部１１ａは処理をステップＳ１１へ戻し、携帯機４の監視を継続する。上記所定範囲Ｒ以内の携帯機４が検出されたと判定した場合（ステップＳ１１：ＹＥＳ）、制御部１１ａは、入力部１１ｅに入力される施解錠状態信号に基づいて、車両Ｃのドアが解錠されたか否かを判定する（ステップＳ１２）。解錠されていないと判定した場合（ステップＳ１２：ＮＯ）、制御部１１ａは処理をステップＳ１１へ戻し、携帯機４の位置及び解錠状態の監視を継続する。
【００５２】
解錠されたと判定した場合（ステップＳ１２：ＹＥＳ）、制御部１１ａは、車両周辺監視装置２を起動させ、通信部１１ｇを介して車両周辺の障害物Ｂに係る情報を取得する（ステップＳ１３）。また、制御部１１ａは、車両異常監視装置３を起動させ、通信部１１ｇを介して車両Ｃの異常に係る情報を取得する（ステップＳ１４）。
例えば、図７に示すように、車両Ｃの左斜め前に、車両Ｃの進行を妨げる植木鉢のような障害物Ｂがある場合、車両周辺監視装置２は、障害物Ｂの有無、障害物Ｂの位置、障害物Ｂの画像等の情報を表示制御装置１１へ送信する。
【００５３】
次いで、制御部１１ａは、ステップＳ１３及びステップＳ１４にて取得した情報に基づいて、車両周辺の障害物Ｂ、車両Ｃの異常等があったか否かを判定する（ステップＳ１５）。異常が無いと判定した場合（ステップＳ１５：ＮＯ）、制御部１１ａは、サイドミラー表示部１２を停止させる（ステップＳ１９）。異常があると判定した場合（ステップＳ１５：ＹＥＳ）、制御部１１ａは、入力部１１ｅに入力されるミラー状態信号に基づいて、サイドミラー５が格納された状態にあるか否かを判定する（ステップＳ１６）。サイドミラー５が格納された状態にあると判定した場合（ステップＳ１６：ＹＥＳ）、制御部１１ａは、サイドミラー５の展開を指示する展開信号を出力部１１ｆを介してミラー格納駆動部５２ａへ出力することによって、サイドミラー５を展開させる（ステップＳ１７）。
【００５４】
なお、車両周辺の障害物Ｂが検出された場合、又は車両Ｃに異常があると判定された場合、ミラーターンランプ５３を点灯させるように構成しても良い。つまり、障害物Ｂ又は車両Ｃの異常が検出された場合、点灯信号をミラーターンランプ５３へ出力することによって、ミラーターンランプ５３を点灯させるように制御部１１ａを構成しても良い。なお、車両Ｃに異常が無く、通常の動作としてサイドミラー５を展開又は格納させる際にミラーターンランプ５３を点滅させる態様と、障害物Ｂ又は車両Ｃに異常が有る場合にミラーターンランプ５３を点灯させる態様とが異なる構成が好ましい。ユーザＡは、ミラーターンランプ５３の点灯態様からも、障害物Ｂ又は車両Ｃの異常等、何らかの情報がサイドミラー５に表示されていることを容易に認識することができる。
【００５５】
ステップＳ１７の処理を終えた場合、又はサイドミラー５が展開された状態にあると判定した場合（ステップＳ１６：ＮＯ）、制御部１１ａは、ステップＳ１３及びステップＳ１４にて取得した情報を表示するための映像信号を、出力部１１ｆにてサイドミラー表示部１２へ出力することによって、図８及び図９に示すように、車両周辺の障害物Ｂ及び車両Ｃの異常に係る情報を、左右のサイドミラー表示部１２に表示させる（ステップＳ１８）。例えば、サイドミラー表示部１２には、図８に示すように、車両Ｃの画像と共に、車両Ｃに対する障害物Ｂの位置を示す所定の画像を表示すると良い。また、図８に示すように、サイドミラー表示部１２は、障害物Ｂの有無及び位置を文字で表示するように構成しても良い。更にサイドミラー表示部１２に、障害物Ｂの画像を表示するように構成しても良い。
【００５６】
ステップＳ１８又はステップＳ１９の処理を終えた場合、制御部１１ａは、入力部１１ｅに入力される開閉信号に基づいて、車両Ｃのドアが開閉されたか否かを判定する（ステップＳ２０）。つまり、制御部１１ａは、ドアが開いた後、ドアが閉じたか否かを判定する。ドアの開閉が検出されていないと判定した場合（ステップＳ２０：ＮＯ）、制御部１１ａは処理をステップＳ１３へ戻す。ドアの開閉が検出されたと判定した場合（ステップＳ２０：ＹＥＳ）、制御部１１ａは、サイドミラー表示部１２による表示を停止させ（ステップＳ２１）、処理を終える。
【００５７】
以上の通り、実施形態１に係る車両用情報表示装置１によれば、携帯機４を所持する車外のユーザＡを検出し、車両周辺の障害物Ｂ又は車両Ｃの異常に係る情報を乗車前にサイドミラー５の鏡面に表示することができる。
【００５８】
また、車外の所定範囲Ｒ内にある携帯機４を検出し、かつ車両Ｃのドアが解錠された場合に、車両周辺の障害物Ｂ又は車両Ｃの異常に係る情報をサイドミラー５の鏡面に表示する構成であるため、ユーザＡに乗車する意思が無いときに、不必要な情報がサイドミラー５の鏡面に表示されることを回避することができる。
【００５９】
更に、車両Ｃのドアが一旦開き、その後閉じた場合、つまりユーザＡが乗車したと推定される場合、サイドミラー５への情報の表示を停止することができる。
【００６０】
更にまた、サイドミラー５が格納された状態であっても、サイドミラー５を展開させ、情報をサイドミラー５の鏡面に表示させることができる。
【００６１】
更にまた、ハーフミラー５１の背面に配された自発光型のサイドミラー表示部１２を用いて、障害物Ｂ又は車両Ｃの異常に係る情報を、サイドミラー５の鏡面に重畳的に表示させることができる。
【００６２】
なお、実施形態１では位置検出用信号に対する携帯機４からの応答信号の有無によって、携帯機４の位置を検出する例を説明したが、ＲＳＳＩ方式にて携帯機４の位置を検出しても良い。ＲＳＳＩ方式においては、送信部１１ｃは、各ＬＦ送信アンテナ６から送信される位置検出用信号、例えば無変調波を順次送信する。携帯機４は各位置検出信号の受信信号強度を測定し、測定して得た受信信号強度を含む応答信号を表示制御装置１１へ送信する。表示制御装置１１は、携帯機４から送信された応答信号を受信し、応答信号に含まれる受信信号強度に基づいて、車両Ｃに対する携帯機４の位置を算出する。受信信号強度は、各ＬＦ送信アンテナ６と、携帯機４との位置に対応しており、車両Ｃに対するＬＦ送信アンテナ６の位置を既知であるため、車両Ｃに対する携帯機４の位置を求めることができる。
【００６３】
また、左右両方のサイドミラー５の鏡面に障害物Ｂ及び車両Ｃの異常に係る情報を表示する例を説明したが、携帯機４が検出された側のサイドミラー表示部１２にのみ、当該情報を表示するように構成しても良い。
【００６４】
更に、車両周辺の検出された全ての障害物Ｂの情報をサイドミラー表示部１２に表示する例を説明したが、携帯機４が検出された側から見て死角になる位置にある障害物Ｂに係る情報のみをサイドミラー表示部１２に表示するように構成しても良い。
運転席側の所定範囲Ｒ内に携帯機４が存在する場合に死角となる範囲又は当該範囲の障害物Ｂを検出できる撮像部２１等を、表示制御装置１１の記憶部１１ｂが予め記憶しておくことによって、死角にある障害物Ｂに係る情報のみをサイドミラー５に表示させることができる。助手席側の所定範囲Ｒについても同様である。
【００６５】
更にまた、本実施形態では、鏡面に情報を表示するサイドミラー表示部１２として、ハーフミラー５１の背面に表示パネルを説明したが、サイドミラー表示部１２は車両後方の映像を表示する電子ミラーであっても良い。
【００６６】
更にまた、本実施形態では、表示部の一例として、サイドミラー５の鏡面に障害物Ｂの情報を表示するサイドミラー表示部１２を説明したが、あくまで一例であり、車外に情報を表示する表示装置であれば、特にその構成は限定されるものでは無い。例えば、サイドミラー表示部１２に代えて、車両Ｃの窓に映像を投射する投射装置にて、障害物Ｂ等の情報を表示しても良い。また、車外の構造物、例えば道路に情報を投射する投射装置にて、障害物Ｂ等の情報を表示しても良い。更に、車両Ｃの外部の適宜箇所に表示装置を設け、当該表示装置に障害物Ｂの情報を表示するように構成しても良い。
【００６７】
更にまた、本実施形態では、車両Ｃのドアが解錠されたときにサイドミラー表示部１２に障害物Ｂの情報が表示される例を説明したが、解錠の有無にかかわらず、携帯機４を所持したユーザが車両Ｃに近づいたときに情報をサイドミラー表示部１２に表示するように構成しても良い。
【００６８】
（実施形態２）
本実施形態２に係る車両用情報表示システムは、表示制御装置１１１及びサイドミラー表示部１２を、サイドミラー５の筐体５０内に収容できるようにモジュール化した点が実施形態１と異なる。以下では主に上記相違点について説明し、その他の構成及び作用効果は実施形態１と同様であるため、対応する箇所には同様の符号を付して詳細な説明を省略する。
【００６９】
図１０は、本発明の実施形態２に係る車両用情報表示システムの一構成例を示すブロック図、図１１は、本発明の実施形態２に係る車両用情報表示装置１０１の一構成例を示すブロック図である。実施形態２に係る車両用情報表示システムは、サイドミラー５の筐体５０に収容された車両用情報表示装置１０１、サイドミラー駆動制御部１５４及びサイドミラー駆動部５２と、携帯機４の位置を検出し、ドアの施解錠を行う車載機９と、車両周辺監視装置２と、車両異常監視装置３と、携帯機４とを備える。車載機９、車両周辺監視装置２及び車両異常監視装置３は車内通信線を介して表示制御装置１１１に接続されている。
【００７０】
車載機９は、実施形態１に係る表示制御装置１１１と同様の構成であり、車外の所定範囲Ｒ内にある携帯機４を検出する処理、ドアの施解錠処理等を実行する。車載機９は、車両用情報表示装置１０１からの要求に応じて、所定範囲Ｒ内にある携帯機４の有無、ドアの開閉状態、ドアの施解錠状況、サイドミラー５の格納状態等の情報を車両用情報表示装置１０１へ送信する。
【００７１】
車両用情報表示装置１０１は、サイドミラー表示部１２及び表示制御装置１１１を備える。表示制御装置１１１は、実施形態１と同様、制御部１１ａ、記憶部１１ｂ、出力部１１ｆ及び通信部１１ｇを備える。
ただし、携帯機４の位置を検出するための送信部１１ｃ及び受信部１１ｄは備えておらず、表示制御装置１１１は、所定範囲Ｒ内の携帯機４の有無に係る情報は、車載機９から取得する。
【００７２】
通信部１１ｇには、通信線を介して車載機９及び車両周辺監視装置２及び車両異常監視装置３が接続されている。制御部１１ａは、通信部１１ｇを介して、携帯機４の検出結果を示す情報、イグニッションスイッチ７１の状態を示す情報、ドアの施解錠状態を示す情報、ドアの開閉状態を示す情報、サイドミラー５の格納状態又は展開状態を示す情報、障害物Ｂに係る情報等を取得する。
【００７３】
出力部１１ｆには、サイドミラー表示部１２及びサイドミラー駆動制御部１５４が接続されている。制御部１１ａは、出力部１１ｆから映像信号をサイドミラー表示部１２へ出力することによって、情報をサイドミラー５の鏡面に表示させる。また、制御部１１ａは、出力部１１ｆから展開信号及び格納信号を、サイドミラー駆動制御部１５４へ出力することによって、サイドミラー５の展開及び格納させる。
【００７４】
制御部１１ａは、実施形態１と同様の処理手順によって、車外の所定範囲Ｒ内にある携帯機４がある場合、車外の障害物Ｂ及び車両Ｃの異常をサイドミラー表示部１２に表示させる。ただし、制御部１１ａは、通信部１１ｇを介して当該処理に必要な情報を取得する点が実施形態１と異なる。具体的には、所定範囲Ｒ内にある携帯機４の有無、ドアの開閉状態、ドアの施解錠状況、サイドミラー５の格納状態等の情報については通信部１１ｇにて外部から取得する。
【００７５】
実施形態２に係る車両用情報表示装置１０１によれば、実施形態１と同様、携帯機４を所持する車外のユーザＡを検出し、車両周辺の障害物Ｂ又は車両Ｃの異常に係る情報を乗車前にサイドミラー５の鏡面に表示することができる。
【００７６】
また、ユニット化された車両用情報表示装置１０１をサイドミラー５の筐体５０に設けることによって、簡易に本発明に係る車両用情報表示システムを構成することができる。
【符号の説明】
【００７７】
１，１０１  車両用情報表示装置
２  車両周辺監視装置
３  車両異常監視装置
４  携帯機
５  サイドミラー
５ａ  支持部
６  ＬＦ送信アンテナ
８  施解錠装置
９  車載機
１１，１１１  表示制御装置
１１ａ  制御部
１１ｂ  記憶部
１１ｃ  送信部
１１ｄ  受信部
１１ｅ  入力部
１１ｆ  出力部
１１ｇ  通信部
１１ｈ  ＲＦ受信アンテナ
１２  サイドミラー表示部
２１  撮像部
５０  筐体
５１  ハーフミラー
５２  サイドミラー駆動部
５２ａ  ミラー格納駆動部
５２ｂ  ミラー角度調整部
５３  ミラーターンランプ
７１  イグニッションスイッチ
７２  ドアスイッチ
７３  開閉検出スイッチ
７４  施錠検出スイッチ
７５  ミラー状態検出部
１５４  サイドミラー駆動制御部
Ａ  ユーザ
Ｂ  障害物
Ｃ  車両
Ｒ  所定範囲
【図１】
2018043728.tif 000003
【図２】
2018043728.tif 000004
【図３】
2018043728.tif 000005
【図４】
2018043728.tif 000006
【図５】
2018043728.tif 000007
【図６】
2018043728.tif 000008
【図７】
2018043728.tif 000009
【図８】
2018043728.tif 000010
【図９】
2018043728.tif 000011
【図１０】
2018043728.tif 000012
【図１１】
2018043728.tif 000013